(57)【要約】      （修正有）【課題】調理過程で二枚のヒータプレートに挟まれて調理される食品材料に、その量が均一に注入されるように制御して水蒸気を供給する機構を備えた蒸気グリル／トースタ装置を提供する。【解決手段】本体の任意の部分に付加され、自身に設けられた電気ヒータあるいはガスヒータによって水蒸気を生成する水室を備えた機構を有する蒸気グリル／トースタ装置であって、ボトム・ヒータ・プレート１の上にくぼんだ水室３を形成する。また、トップ・ヒータ・プレート２の上には突出部４を設け、前記突出部４をボトム・ヒータ・プレート１の中央にある水室３に部分的にはめ込む。さらに、前記水室３において生成される水蒸気は、ボトムプレート１の水室３のヒータとトッププレート２の突出部４のヒータによって食品材料に蒸気が噴霧される様に蒸気グリル／トースタ装置を構成する。【選択図】図１
0003168302.tif 000002
【実用新案登録請求の範囲】
【請求項１】
本体の任意の部分に付加され、自身に設けられた電気ヒータあるいはガスヒータによって水蒸気を生成する水室を備えた機構を有する蒸気グリル／トースタ装置であって、
前記水室（３ａ）において生成される水蒸気は、ボトムプレート（１）の水室ヒータとトッププレート（２）の突出部（４ａ）のヒータによって食品材料に噴霧されることを特徴とする蒸気グリル／トースタ装置。
【請求項２】
前記ヒータプレート（１、２）は前記装置内に固定されている、もしくは前記装置内で移動可能であることを特徴とする請求項１における蒸気グリル／トースタ装置。
【請求項３】
前記水室（３）および本装置のヒータ（４）は固定されているかもしくは移動可能であることを特徴とする請求項１における蒸気グリル／トースタ装置。
【請求項４】
水蒸気を生成する本装置の前記ヒータ（４）は、サーモスタットによって、あるいはサーモスタットなしで制御されることを特徴とする請求項１における蒸気グリル／トースタ装置。
【考案の詳細な説明】
【技術分野】
【０００１】
本考案は、調理過程で二枚のヒータプレート（１、２）に挟まれて調理される食品材料に、その量が均一に注入されるように制御して水蒸気を供給する機構を有することを特徴とする蒸気グリル／トースタ装置に関する。
【背景技術】
【０００２】
Ａ）市場に存在する標準的なグリル／トースタ装置
既知のように、トースタおよび標準グリルとして知られている本装置は英語では、エレクトリックグリル、バーベキューグリル、チャコールグリル、ガスグリル、カウンタートップグリル、インドア・アウトドア・グリルと呼ばれている。  この「蒸気グリル／トースタ装置」は、ヒンジ機構によって開閉作動する上部および下部のヒータプレートから構成される。この装置は異なる大きさのものであってよい。またこの装置は電気やガスで加熱されてもよく、テーブル上で用いられてもよい。この装置は戸外でまた足元で用いられてもよい。この装置のヒータプレートの熱はサーモスタットで制御されてもよいし、熱制御が行われなくてもよい。
【０００３】
Ｂ）調理過程
トースタにおいて、食肉の部位、ミートボール、ステーキ、鶏肉、魚、ソーセージ、チーズのサンドイッチ、および豚肉加工品のトーストは、加熱されたトッププレートとボトムプレートの間で調理することによって料理される。この調理の過程において、調理済みの食品材料によっては、温度の高低がプレートを加熱するヒータ内のサーモスタットによって設定されてもよいし、あるいは使用者の好みによっては温度設定がなされなくてもよい。
【考案の概要】
【考案が解決しようとする課題】
【０００４】
本考案の目的は、上述のあらゆる種類の「グリル／トースタ装置」における調理過程で二枚のヒータプレートに挟まれて調理される食品材料に、その量が均一に注入されるように制御して水蒸気を供給する機構を提供することにある。
【考案の効果】
【０００５】
他のグリル／トースタ装置と比較して、本蒸気グリル／トースタ装置は以下の効果を奏する。
通常のグリル／トースタ装置より短時間で調理が可能である。
放つ臭気がより少ない。
調理中、肉の脂肪が水蒸気とともに流出するため、使用者は、肉と一緒に調理するわりには低脂肪の食事を取ることができる。
食肉や鶏肉などを調理した食品は柔らかくジューシーであり、簡単に切り分けができる。
調理済みの食品材料は部分的あるいは完全に従来のグリル／トースタ装置のトッププレートあるいはボトムプレートに張り付くこともあるが、同様に調理された従来の蒸気グリル／トースタ装置内の食品の表面全体がこれらのプレートに張り付くということはない。
調理中、食品材料の汁は水蒸気の効果で外に流出しないため、風味が内側に閉じ込められる。
従来のグリル／トースタ装置から取り出された調理済みの食品材料は、食卓に出されてから短時間で乾燥し、固くなってしまうが、本蒸気グリル／トースタ装置から取り出された調理済みの食品材料は柔らくジューシーな状態が維持される。
従来のグリル／トースタ装置のプレート間に挟まれた食品材料は脱水によって収縮するが、本蒸気グリル／トースタ装置における食品材料は、調理中に出る水蒸気によって厚くなり膨張する。
箱型冷凍庫から取り出した後に調理したい食肉や鶏肉などの食品材料を従来のグリル／トースタ装置で加熱しても、この装置の上部および下部では食品材料は加熱され燃焼されるが、中間部では解凍されたとしても冷たいままである。しかしながら、本蒸気グリル／トースタ装置で調理された冷凍食品は本装置のどの部分においても同様に加熱され、非冷凍食品と変わらない。
本蒸気グリル／トースタ装置のトッププレートおよびボトムプレートは使用後、容易に洗えるが、従来の装置での作業は難しく時間がかかる。
【図面の簡単な説明】
【０００６】
【図１】蓋が開いている状態での本蒸気グリル／トースタ装置の一般図である。
【図２ａ】蓋が閉じている状態での本蒸気グリル／トースタ装置の種々の正面図である。
【図２ｂ】蓋が閉じている状態での本蒸気グリル／トースタ装置の種々の正面図である。
【図３】内部に食品材料が挟まれている場合の、本蒸気グリル／トースタ装置のいっぱん概略図である。
【図４】蓋が閉じている状態での本蒸気グリル／トースタ装置の頂面図である。
【考案を実施するための形態】
【０００７】
ａ）図１に示されるグリル／トースタ装置のボトム・ヒータ・プレート（１）の上にくぼんだ水室（３）が生成されている。
【０００８】
ｂ）トップ・ヒータ・プレート（２）の上には突出部（４）が形成され、この突出部（４）はボトム・ヒータ・プレート（１）の中央にある水室（３）に部分的にはめ込まれる。
【０００９】
ｃ）集水室（５）は、ボトム・ヒータ・プレート（１）上の食品から蒸留された油と水を集める。その後、この油と水は除去され洗浄されてもよい。
【００１０】
ｄ）図２に示されるように、底室（１）内の水は、ボトムプレート内の水室ヒータ（３ａ）と、トッププレートの突出部（４ａ）のヒータによって急速に加熱され、蒸発する。図３に示されるように、ここで得られた自由蒸気は、ボトムプレート（１）およびトッププレート（２）に挟まれた食品材料に浸透する。
【００１１】
ボトム・ヒータ・プレート（１）およびトップ・ヒータ・プレート（２）の周壁は、本装置内で生成されてトースタが閉じるときに食品に入り込む水蒸気を本装置から逃がさないようにするために形成されている。
【００１２】
図４から分かるように、ボトム・ヒータ・プレートおよびトップ・ヒータ・プレートが起動されるより前にサーモスタット設定ボタン（１２）によって起動される水室ヒータによって、調理中、早急に食品に水蒸気が浸透する。
【符号の説明】
【００１３】
１            ボトム・ヒータ・プレート
１ａ            ボトムプレートのヒータ
２            トップ・ヒータ・プレート
２ａ            トッププレートのヒータ
３            ボトムプレートの水室
３ａ            ボトムプレートの水室のヒータ
４            トップ・ヒータ・プレートの中央部（水室に部分的に入り込む突出部）において水室に入り込むヒータ部分
４ａ            トッププレートの突出部のヒータ
５            取り外し可能な水／油収集室
６            ボトムプレート（ボトムボディ）のヒータを保持するボディ
７            トッププレート（トップボディ）のヒータを保持するボディ
８            ハンドル
９            水の上限を示すディスプレイ
１０            トップヒータのサーモスタット設定ボタン
１１            ボトムヒータのサーモスタット設定ボタン
１２            光によって表示するディスプレイを備えた水室ヒータのサーモスタット設定ボタン
１３            制御パネル
【図１】
0003168302.tif 000003
【図２ａ】
0003168302.tif 000004
【図２ｂ】
0003168302.tif 000005
【図３】
0003168302.tif 000006
【図４】
0003168302.tif 000007
【手続補正書】
【提出日】平成23年3月25日(2011.3.25)
【手続補正１】
【補正対象書類名】実用新案登録請求の範囲
【補正対象項目名】全文
【補正方法】変更
【補正の内容】
【実用新案登録請求の範囲】
【請求項１】
本体の任意の部分に付加され、自身に設けられた電気ヒータあるいはガスヒータによって水蒸気を生成する水室を備えた機構を有する蒸気グリル／トースタ装置であって、
ボトム・ヒータ・プレート（１）の上にくぼんだ水室（３）が生成され、トップ・ヒータ・プレート（２）の上には突出部（４）が形成され、前記突出部（４）はボトム・ヒータ・プレート（１）の中央にある水室（３）に部分的にはめ込まれ、
前記水室（３）において生成される水蒸気は、ボトムプレート（１）の水室（３）のヒータ（３ａ）とトッププレート（２）の突出部（４）のヒータ（４ａ）によって食品材料に噴霧されることを特徴とする蒸気グリル／トースタ装置。
【請求項２】
前記ボトムプレート（１）およびトッププレート（２）は前記装置内に固定されている、もしくは前記装置内で移動可能であることを特徴とする請求項１における蒸気グリル／トースタ装置。
【請求項３】
前記水室（３）および本装置のヒータは固定されているかもしくは移動可能であることを特徴とする請求項１における蒸気グリル／トースタ装置。
【請求項４】
水蒸気を生成する本装置の前記ヒータは、サーモスタットによって、あるいはサーモスタットなしで制御されることを特徴とする請求項１における蒸気グリル／トースタ装置。